(57)【要約】【課題】減圧乾燥容器内で発生する泡やミストおよび固形分が減圧装置側に送られることがない減圧乾燥装置を提供することを目的としている。【解決手段】被乾燥物が内部に充填されて減圧乾燥される減圧乾燥容器と、減圧乾燥容器内の雰囲気を吸引排気する減圧装置に接続される排気経路とを備えた減圧乾燥装置であって、前記排気経路の途中に、減圧乾燥時に減圧乾燥容器内で発生する泡およびミストの減圧装置への排出を防止するトラップが設けられていることを特徴としている。【選択図】      図１
2005201486.tif 000002
【特許請求の範囲】
【請求項１】
被乾燥物が内部に充填されて減圧乾燥される減圧乾燥容器と、
減圧乾燥容器内の雰囲気を吸引排気する減圧装置に接続される排気経路とを備えた減圧乾燥装置であって、
前記排気経路の途中に、減圧乾燥時に減圧乾燥容器内で発生する泡およびミストの減圧装置への排出を防止するトラップが設けられていることを特徴とする減圧乾燥装置。
【請求項２】
トラップが、排気経路途中に設けられるトラップ本体と、このトラップ本体内で捕捉された泡およびミストに含まれる蒸発成分を加熱蒸発させる加熱手段とを備える請求項１に記載の減圧乾燥装置。
【発明の詳細な説明】
【技術分野】
【０００１】
本発明は、たとえば、食品、薬品、化学製品などの製造工程中の含液物乾燥工程や生ゴミや汚泥などの廃棄物の処理工程に組み込まれて使用される減圧乾燥装置に関する。
【背景技術】
【０００２】
環境保護の観点から家庭や食料品店等で発生する生ゴミ等をディスポーザで粉砕の有機性廃棄物を乾燥減量化して、有効な利用を図ることができるようにした廃棄物処理システム（たとえば、特許文献１参照）等のように、液状物あるいは水分の多い乾燥対象を乾燥減量化して製品に用いたり、廃棄物の有効利用を図るシステムがいろいろ提案されている。
すなわち、このようなシステムは、減圧乾燥方式を用いて対象物の性状および品質を損なうことなく低温乾燥し、得られた乾燥物を製品としてあるいは飼料、肥料の原料として有効利用するようにしている。また、蒸発された水分はコンデンサで凝縮させて略蒸留水に近い状態で排水されるようになっている。
【０００３】
【特許文献１】特開２００２−１０２８３４号公報
【発明の開示】
【発明が解決しようとする課題】
【０００４】
しかし、たとえば、家庭や食料品店等から出る生ゴミ粉砕片等の微細な固形物片を含む液状物には、油分や粘性のある成分が含まれている場合があり、減圧乾燥装置の減圧乾燥容器内で減圧乾燥される際に、減圧乾燥容器内で泡が発生する。そして、この泡およびこの泡の破裂等によって生じるミストがそのまま排気経路を通って、真空ポンプやエゼクタ等の減圧装置側へ送られる場合あるが、泡やミストには、固形分も含まれており、この固形分が、排水中に混ざり込んでしまったり、減圧装置の劣化を招く恐れがあった。
本発明は、上記事情に鑑みて、減圧乾燥容器内で発生する泡やミストおよび固形分が減圧装置側に送られることがない減圧乾燥装置を提供することを目的としている。
【課題を解決するための手段】
【０００５】
上記目的を達成するために、本発明にかかる減圧乾燥装置は、被乾燥物が内部に充填されて減圧乾燥される減圧乾燥容器と、減圧乾燥容器内の雰囲気を吸引排気する減圧装置に接続される排気経路とを備えた減圧乾燥装置であって、前記排気経路の途中に、減圧乾燥時に減圧乾燥容器内で発生する泡およびミストの減圧装置への排出を防止するトラップが設けられていることを特徴としている。
【０００６】
本発明において、トラップは、特に限定されないが、排気経路途中に設けられるトラップ本体と、このトラップ本体内で捕捉された泡およびミストに含まれる蒸発成分を加熱蒸発させる加熱手段とを備える構成とすることが好ましい。
【発明の効果】
【０００７】
本発明にかかる減圧乾燥装置は、以上のように排気経路の途中に、減圧乾燥時に減圧乾燥容器内で発生する泡およびミストの減圧装置への排出を防止するトラップが設けられているので、泡やミストおよび泡やミストに付着した生ゴミ破砕片等の固形分が減圧装置側へ排出されない。したがって、生ゴミの蒸発成分を略蒸留水に近い状態にして排水路に排水することができるとともに、固形分による減圧装置の劣化を防止することができる。
【０００８】
また、排気経路途中に設けられるトラップ本体と、このトラップ本体内で液化された蒸発成分を加熱蒸発させる加熱手段とを備える構成とすれば、トラップで捕捉された泡およびミストの蒸発成分が加熱手段によって加熱されて蒸発し、減圧装置側に吸引され、トラップ本体内には固形分のみが残るようになる。したがって、トラップの容量を小さくすることができる。
【発明を実施するための最良の形態】
【０００９】
以下に、本発明を、その実施の形態をあらわす図面を参照しつつ詳しく説明する。
図１および図２は、本発明にかかる減圧乾燥装置の１つの実施の形態をあらわしている。
【００１０】
図１に示すように、この減圧乾燥装置１ａは、減圧乾燥容器２と、排気経路３とを備えている。
減圧乾燥容器２は、容器本体２１と、ジャケット２２と、撹拌羽根２３と、ロードセル２４とを備えている。
【００１１】
容器本体２１は、蓋２１ａと、乾燥物排出口２１ｂと、排気口２１ｃとを備えている。
ジャケット２２は、容器本体２１を囲繞するように設けられ、蒸気が内部に供給されて容器本体２１を外側から加熱するようになっている。
ロードセル２４は、容器本体２１内の被乾燥物の重量変化を検出するようになっている。すなわち、ロードセル２４の検出結果から、乾燥の終点を判定できるようになっている。
【００１２】
乾燥物排出口２１ｂは、容器本体２１の底に設けられていて、モーターバルブ２１ｄを開放することによって容器本体２１内の乾燥物を排出できるようになっている。
排気口２１ｃは、排気経路３に接続されている。
【００１３】
排気経路３は、排気口２１ｃに連結されるようにトラップ４ａを備えている。
トラップ４ａは、トラップ本体４１と加熱手段としてのジャケット４２とを備えている。
【００１４】
トラップ本体４１は、内部が仕切り板４１ａによって下端のみが連通するように２つの部屋に仕切られていて、一方の部屋の上部で排気口２１ｃに連通し、他方の部屋の上側壁面に排気孔４１ｃが穿設されている。
また、トラップ本体４１の天板４１ｂは、図示していないが、ボルトを解くことによって取り外せるようになっている。すなわち、天板４１ｂを取り外して内部を清掃できるようになっている。
【００１５】
この減圧乾燥装置１ａは、たとえば、図２に示すような生ゴミ処理システムＡに組み込まれて使用される。
すなわち、この生ゴミ処理システムＡは、ディスポーザ５と、調整タンク６と、移送ポンプ７と、減圧乾燥装置１ａと、コンデンサ８と、減圧装置としての水エゼクタ９と、エゼクタ循環ポンプ９１と、水タンク９２とを備えている。
【００１６】
ディスポーザ５は、生ゴミを水を供給しながら粉砕し、粉砕片と水との混合物Ｍを調整タンク６に送るようになっている。
そして、調整タンク６は、撹拌機６１を備え、ディスポーザ５から送られてきた混合物Ｍを撹拌機６１で撹拌しつつ貯留するようになっている。
【００１７】
移送ポンプ７は、調整タンク６と減圧乾燥装置１ａとを結ぶ移送配管７１の途中に設けられていて、調整タンク６の混合物Ｍを減圧乾燥装置１ａへ被乾燥物として移送するようになっている。
減圧乾燥装置１ａは、容器本体２１内が水エゼクタ９によって減圧されるとともにジャケット２２からの加熱によって、移送された混合物Ｍ中の蒸発成分（ほとんど水であるが、若干の揮発性有機成分が混ざる場合もある）が蒸発し、排気経路３を介して水エゼクタ９側に吸引される。
【００１８】
コンデンサ８は、減圧乾燥装置１ａと水エゼクタ９とを結ぶ排気管路８１の途中に設けられていて、蒸気を液化させるようになっている。
コンデンサで液化された蒸発成分は、水エゼクタ９の循環水とともに水タンク９２に入り循環水として再利用されるとともに、水タンク９２内の水量が一定レベル以上になると排水路に排水されるようになっている。
【００１９】
なお、図２中、２５は乾燥物の搬送容器、２６は容器本体２１内の混合液Ｍのレベル計、６２は調整タンク６の混合液Ｍのレベル計である。
【００２０】
図３は、本発明にかかる減圧乾燥装置の他の実施の形態をあらわしている。
図３に示すように、この減圧乾燥装置１ｂは、トラップ４ｂが、天板４５の中央に減圧装置（図示せず）に連結される排気管４６に連通する円筒状の仕切り４７をトラップ本体４８内に設けた以外は、上記減圧乾燥装置１ａと同様になっている。
【００２１】
本発明にかかる減圧乾燥装置は、上記の実施の形態に限定されない。たとえば、上記の実施の形態では、減圧装置として水エゼクタが用いられていたが、水エゼクタに代えて真空ポンプを用いるようにしても構わない。
また、上記の実施の形態では、蒸気で容器本体およびトラップ本体を加熱するようになっていたが、容器本体やトラップ本体の周囲にヒータ線を巻回し、電気的に加熱するようにしても構わない。
【００２２】
さらに、上記の実施の形態では、トラップ本体の内部が２つの部屋に仕切られていたが、３つ以上の部屋に仕切られていても構わない。
また、上記の実施の形態では、減圧乾燥装置が生ゴミ処理システムに組み込まれていたが、用途は特に限定されず、たとえば、食品、薬品、化学製品などの製造工程中の含液物乾燥工程や汚泥などの廃棄物の処理工程に組み込むこともできる。
【図面の簡単な説明】
【００２３】
【図１】本発明にかかる減圧乾燥装置の１つの実施の形態をあらわす断面図である。
【図２】図１の減圧乾燥装置が用いられる生ゴミ処理システムの１例をあらわす配管系統図である。
【図３】本発明にかかる減圧乾燥装置の他の実施の形態をあらわす要部断面図である。
【符号の説明】
【００２４】
Ｍ  混合物（被乾燥物）
１ａ，１ｂ  減圧乾燥装置
２  減圧乾燥容器
３  排気経路
４ａ，４ｂ  トラップ
４１  トラップ本体
４２  ジャケット（加熱手段）
９  水エゼクタ（減圧装置）
【図１】
2005201486.tif 000003
【図２】
2005201486.tif 000004
【図３】
2005201486.tif 000005